(57)【特許請求の範囲】
【請求項１】
不変なアカウントを含む利用者の基本情報、統合識別子情報、統合識別子にマッピングされたＵＲＩ情報、及び表示情報を保存・管理・処理するアドレス管理サーバと、
前記アドレス管理サーバの下位に位置し、統合識別子種類別のマッピングＵＲＩを管理するアドレスマッピングサーバを含むアドレスサーバと、
前記統合識別子情報に含まれた統合識別子固有のＵＩ（ユーザインタフェース）画面に、既存の相手方表示、アドレス、アクセスメニューを表示する以外に、アドレスサーバが伝達した情報により、統合識別子とマッピングされた複数のＵＲＩアクセスメニュー及び連関情報をさらに表示し、利用者の選択により、ＵＲＩアクセスメニューに対応するサービスアクセスまたはサービスインタフェースを開始する端末と、を含み、
前記統合識別子情報の統合識別子は、既存の電話番号または既存のサービスアカウントであり、前記統合識別子の下部に一つ以上のＵＲＩをマッピングすることを特徴とする、
統合識別子管理システム。
【請求項２】
前記サービスアカウントは、Ｅメールアドレス、ホームページアドレス、ＳＮＳアカウントを含む識別子の内の一つであることを特徴とする請求項１に記載の統合識別子管理システム。
【請求項３】
前記統合識別子固有のＵＩ画面は、前記統合識別子が電話番号である場合、端末のアドレスブックやダイヤルパッド画面であり、前記統合識別子がＥメール、ホームページ、ＳＮＳである場合、各サービス画面であることを特徴とする請求項１に記載の統合識別子管理システム。
【請求項４】
前記端末は、有無線通信の内の一つ及びインターネットアクセスが可能であり、固有の識別番号を有した端末であって、スマートフォン、パソコン、タブレット型パソコン、ＡＩスピーカー、キオスク、運送手段を含むことを特徴とする請求項１に記載の統合識別子管理システム。
【請求項５】
アドレスマッピングサーバから端末に、既存の電話番号または既存のサービスアカウントである統合識別子及び前記統合識別子にマッピングされたＵＲＩ情報及び表示情報を伝達する段階と、
前記端末の表示部の統合識別子固有ユーザインタフェース（ＵＩ）画面に、前記アドレスマッピングサーバから伝達された統合識別子と統合識別子にマッピングされたＵＲＩ情報に対応するＵＲＩアクセスメニュー及び連関情報を表示する段階と、
前記端末の表示部の統合識別子固有ＵＩ画面において、特定の統合識別子と、その下部にマッピングされた特定のＵＲＩアクセスメニューを選択する段階と、
前記選択されたＵＲＩアクセスメニューに対応するサービスが開始され、またはユーザインタフェースまたはサービスページが前記端末に表示される段階と、
を含み、
前記アドレスマッピングサーバは、不変なアカウントを含む利用者の基本情報、統合識別子情報、前記統合識別子にマッピングされたＵＲＩ情報、及び前記表示情報を保存・管理・処理するアドレス管理サーバの下位に位置し、
前記統合識別子、前記統合識別子にマッピングされたＵＲＩ情報、及び、前記表示情報は、前記アドレス管理サーバが保存・管理する情報に基づいて生成されアップデートされることを特徴とするサービス方法。
【請求項６】
端末の表示部において、特定の統合識別子と特定のＵＲIアクセスメニューを選択する段階は、タッチ・クリック以外に、音声入力部を介して入力された音声認識方式で、特定の統合識別子と特定のＵＲＩアクセスメニューを選択して行われることを特徴とする請求項５に記載のサービス方法。
【請求項７】
端末の表示部において、特定の統合識別子と特定のＵＲＩアクセスメニューを選択する段階は、複数の特定のＵＲＩアクセスメニューを同時または順次的に選択してサービスを呼び出す方式で行われることを特徴とする請求項５に記載のサービス方法。                                                                            
【発明の詳細な説明】
【技術分野】
【０００１】
本発明は、人間と人間、人間と機械、機械と機械の間を相互連結し、サービス利用及び情報提供の基本となる多様な形態のアドレスと端末のカメラ等のような機能資源の識別子を一つの統合識別子の下で有意味の構成で統合し、相違したサービスと機能資源へのアクセスを単一のユーザインタフェース（ＵＩ：Ｕｓｅｒ  Ｉｎｔｅｒｆａｃｅ）において容易に開始するようにし、これに加えて、最適のアクセス相手を探して統合識別するようにする端末、サービス方法及び統合識別子管理システムに関する。
【０００２】
より詳しくは、本発明は、全ての形態と類型の統一資源識別子（ＵＲＩ：Ｕｎｉｆｏｒｍ  Ｒｅｓｏｕｒｃｅ  Ｉｄｅｎｔｉｆｉｅｒ）またはアドレスを、電話番号や特定のサービス識別子の下でマッピングして統合し、既存の電話通話画面または特定のサービス画面にアクセスメニューで表示し、それぞれ異なる類型及び属性を有したＵＲＩ（アドレス）を支援するサービスインタフェースや機能資源のインタフェースで容易に移動し、後続プロセスを用いるようにする端末、サービス方法及び統合識別子管理システムに関する。
【０００３】
また、本発明は、発信利用者が、普遍的な識別子である電話番号やメールアドレスのようなサービス識別子のみで、受信相手方が提供する全てのアドレスとサービス及び機能資源の接近を単一の画面で簡単に開始することができ、受信者（電話番号所有者及びサービス提供者）は、従来の複雑なアドレスや利用方法を全て発信相手方に知らせることなく、自身の電話番号や単一のサービス識別子の下で統合して、所望の形態で編集・設定してから、発信者端末に簡単に表示し、最上のサービス提供及び応対が可能であるだけでなく、各電話番号やサービス識別子の下で、連動された静態的・動態的情報に基づき、発信者と受信者間に最上のマッチングが可能であるようにし、最適の相手を識別してもらうソリューションに関する。
【背景技術】
【０００４】
人間相互間の交信とサービス・情報へのアクセスのためのアドレスは、最も基本的な地理的住所を始めとして、情報通信の発達につれて、電話番号から様々なインターネットサービスアドレスに至るまで多様に分化してきた。これにより、新たなサービスが与える便益にもかかわらず、複数のアドレス及びサービス体系による利用不便も増えてきた。また、新たな技術の発達とサービスの発達により、新たな形態のアドレスとインタフェースが登場することが予想されるので、複雑な接近と利用の問題を単純化することが情報技術（ＩＴ：Ｉｎｆｏｒｍａｔｉｏｎ  Ｔｅｃｈｎｏｌｏｇｙ）業界の重要な課題となった。
【０００５】
これを解決するための多様な試作と努力があり、その代表的なものが、インターネット技術タスクフォース（ＩＥＴＦ：Ｉｎｔｅｒｎｅｔ  Ｅｎｇｉｎｅｅｒｉｎｇ  Ｔａｓｋ  Ｆｏｒｃｅ）の主導で登場したＥＮＵＭである。ＥＮＵＭは、一般の公衆網国際電話の識別番号であるＥ．１６４番号を電話、Ｅメール、ファクシミリ、ホームページ等の文字列に転換させる技術または規約（プロトコル）と定義される。ＥＮＵＭは、Ｅ．１６４番号を、ドメインネームサーバ（ＤＮＳ：Ｄｏｍａｉｎ  Ｎａｍｅ  Ｓｅｒｖｅｒ）を活用してインターネット識別体系（アドレス）に変換するものであって、ＥＮＵＭを用いるためには、インターネットアドレスの申請及び登録のような公式手続きを経なければならず、ＥＮＵＭ識別が可能な別途のクライアントまたは端末を必要とした。
【０００６】
ところが、アドレスの最も重要な機能は、識別機能であって、誰でもそのアドレスを見たら、どんな性格のサービスのためのアドレスであるか、どんな方法でそのアドレスを入力してサービスを用いるかを、説明しなくても直観的にわかる。また、電話番号は、通常、電話通話のための識別子であるため、利用相手方に対する事前説明が不要である。しかし、ＥＮＵＭ用電話番号の場合、ＥＮＵＭ加入者の事前周知（この電話番号がＥＮＵＭ番号であるということ）及び利用方法の説明（どんな端末においてまたはどんなクライアントをインストールしてからどうように用いればよいかを説明）無しには、相手方がわからず、使うこともできなかった。
【０００７】
ＥＮＵＭが生まれた後は、ＥＮＵＭクライアントから電話番号と一緒に入力可能なサービス識別コードを付与する方法、端末から固定メニューツリーを提供する方法等のＥＮＵＭが有する識別の問題を解決しようとする改良が試みられた。これらの方法は、与えられた識別コードと、端末に設定されたメニューに対応する電話番号と、マッピングアドレスとがＥＮＵＭサーバにいつも存在するという前提を必要とする。しかし、このような前提は、利用者の現実的な行動様式に合わないので、その電話番号が「ＥＮＵＭ用統合識別子の性格を有するか。」、「端末に表示された電話番号の下部のサービス識別子は、有効な識別子であるか。」という難題を解かなかった。また、識別子の安定性が何よりも重要視されるアドレスの性格上、頻繁に変わる電話番号は、アドレスとしての安定性を与えることができなかった。したがって、アドレス統合という良い趣旨にもかかわらず、ＥＮＵＭは、示範段階で中断され、未だにこれという実際の適用事例がない。
【０００８】
一方、有無線通信網において、あるサービスや機能資源を用いるとき、提供者や利用者は、それぞれ異なるアドレスとインタフェースを介してそれを提供して使用する。したがって、利用者は、利用しようとするサービスや機能資源に接近しようとする毎に、先ず、誰が私の所望のサービスや機能資源を有しているかを探索してから、その相手方が有しておりまたは接近を許容するアドレスを入手し、それに適した端末とアプリケーション、インタフェース等を探さなければならないという不便があった。
【０００９】
また、サービス提供者は、自分が所望する形態でサービス接点を統合して発信利用者に提供できず、それぞれ分散されたサービス（例：電話、メール、ホームページ、ブログ、フェイスブック、テレグラム、インスタグラム）プラットフォームとの接点を介して、利用者とコミュニケーションしなければならない。
【００１０】
一方、現在のスマートフォンが提供するアドレスブックや、アドレスブックの共有機能、また一部のアドレス共有アプリケーションも、最も基本的な上位ＵＲＩである電話、ホームページ、メール、メッセンジャーアカウント等の予め端末に設定された特定のアドレス項目の単純な羅列式共有に過ぎない。しかも、アドレス情報が全てオープンされ、アドレス情報の保護やアクセスコントロールができず、発信者や受信者（アドレス所有者）が所望する形態の有意味の構成及び接近の便利性に限界があった。すなわち、端末の事前設定が制限され、アドレス所有者が自己設定を通じて発信者端末において多様な形態で表示することができない硬直された構造からなっている。
【発明の概要】
【発明が解決しようとする課題】
【００１１】
本発明は、利用者が既に使いこなしているユーザインタフェースやサービス利用方法に特別の変化を要求せず、電話番号と電話通話モード画面を活用して、現存するのみならず、未来に発生すべき全ての形態のアドレス（ＵＲＩ）を単一の電話番号の下に全てマッピングして統合し、連関サービスインタフェースまで電話通話モード画面で起動することができる端末、サービス方法、統合識別子管理システムを提供することを目的とする。
【００１２】
また、本発明は、サービス提供者の側面で、消費者や取引相手方と疎通するときに用いる全ての資源のＵＲＩ及び連関情報を、所望の名称、所望の配列形態、及びアクセスコントロールの状態で編集・設定し、電話番号という単一の統合識別子に連動してユーザ端末に表示するサービス方法と統合識別子管理システムを提供することを他の目的とする。
【００１３】
また、本発明は、付随的に、統合識別子として用いられる電話番号の下で、電話番号所有者の属性と必要を反映する静態的・動態的情報を管理し、他の検索サイトや探索方法によって相手方をサーチせずにも、最適の相手を探してマッチングするサービス方法を提供することを目的とする。
【００１４】
また、上記した方法を簡単に拡張して、電話番号以外に普遍的なアカウントとして用いられているメール、ホームページアドレス、それぞれのソーシャルネットワーキングサービス（ＳＮＳ：Ｓｏｃｉａｌ  Ｎｅｔｗｏｒｋｉｎｇ  Ｓｅｒｖｉｃｅ）アカウントを単一の統合識別子として活用し、その下位にマッピングされるＵＲＩアクセスメニューを同インタフェースに表示し、利用者は、そのアクセスメニューを活用して簡単に他のサービスインタフェースに移動し、当該サービスを用いることができるサービス方法を提供することを目的とする。
【００１５】
本発明が解決しようとする課題をさらに詳しく分析して説明すると、電話番号は、地球上の全ての人が一つずつ所有している普遍的なＵＲＩであって、伝達及び使用が最も簡便であり、頻繁に用いられている。しかし、電話番号は、電話通話（音声、テキスト、テレビ電話）のためのアドレス以外の識別子としては認知し難い数字列で表現され、その所有者がよく変わるため、安定的な統合識別子として用いられるには不向きであった。
【００１６】
したがって、電話番号を統合識別子として用いるためには、下記のような課題を解決できる端末、サービス方法、また統合識別子管理システムが提供されなければならない（他のアカウントを統合識別子として用いるときも同じ課題の解決が必要である）。
【００１７】
第一、何の事前説明無しにも、特定の電話番号が、電話通話以外に他のＵＲＩを介して提供されるサービス連結を含む統合識別子であるか否かを利用者が区別できなければならない。
【００１８】
第二、特定の電話番号が統合識別子であると認識されても、その番号の下で、どんなＵＲＩやサービス資源がマッピングされているかが利用前に識別されなければならない。
【００１９】
第三、統合識別子である電話番号に変動があっても、当該番号にマッピングされていたＵＲＩと情報は、その所有者の他の電話番号や新規の電話番号に中止することなく、直ちに移転されなければならない。
【００２０】
第四、特定の電話番号が統合識別子としての役割を中断し、または所有者が変わり、または電話番号とマッピングされるＵＲＩが変わったとき、直ちに利用者が識別できる形態としてその変動情報が提供され、有効な連結とサービスを保障しなければならない。
【００２１】
第五、最も普遍的かつ便利に用いられている既存の電話利用方法や、利用者が既に使いこなしている各種のサービス利用方法に行動変化を要求する方式であってはならない。つまり、既存の利用形態に殆ど変化を与えず、直観的利用が可能な表示方式を用いて自然に染み込む方法が提示されなければならない。
【００２２】
これらの課題は、別途のクライアントを用い、電話番号をインターネットドメイン名として活用して、電話番号の変動に対処できないＥＮＵＭ方式や、ＵＲＩを固定的なサービス識別コード（数字）で代替する方式、端末が既設定した固定されたメニュー形態で用いる現存のアドレスブック方式では解決することができなかった。
【００２３】
現実世界では、全ての利用者がこのような統合識別サービスの加入者でもなく、しかも、加入していても、利用者毎にそれぞれ異なるＵＲＩを電話番号とマッピングさせ、また加入・脱退、電話番号の変更、マッピングされるアドレスの変更が随時行われるからである。
【００２４】
したがって、本発明は、現実世界で行われるサービス利用者の予測不可能な可変的行動に対応することができる統合識別子とユーザインタフェースを可能にする柔軟な端末、サービス方法とシステムを提供することを目的とする。
【００２５】
本発明の目的は、上述した目的に限られず、本発明の端末、サービス方法とシステムを活用した多様な課題の解決が可能であり、それは、下記の説明や実施例においてさらに明らかに理解されるであろう。
【課題を解決するための手段】
【００２６】
本発明の課題を解決するための核心的な要素は、ＥＮＵＭの別途のクライアントのような新たなサービスユーザインタフェースを別に構成せず、統合識別子固有の既存のユーザインタフェース画面にマッピングすべきアドレス（ＵＲＩｓ）を表示することであり、アドレスをそのまま表示せず、テキスト、イメージ、またはテキストとイメージの複合形態で抽象化して、簡単なアクセスメニューの形態で表示することであり、端末によりアクセスメニューの表示や設定が制限・固定化されず、アドレスサーバの表示情報及び設定により、アクセスメニューと連関情報が端末に無制限かつ可変的に表示され、アクセスコントロールが可能であることである。
【００２７】
上記した特徴は、下記の端末、サービス方法、またシステムを通じて細部的に具現される。
【００２８】
本発明は、利用者の基本情報、統合識別子情報、マッピングＵＲＩ情報、表示情報、及びその他の属性・設定情報を保存・管理・処理するアドレスサーバと、前記統合識別子固有の既存のユーザインタフェース画面に既存の相手方・アドレス表示やアクセスメニュー以外にアドレスサーバが伝達した情報により、複数のＵＲＩアクセスメニュー及び連関情報をさらに表示する端末と、前記アドレスサーバと前記端末との間に交信を通じて、最新のアドレスマッピング情報及び連関情報が端末の統合識別子利用者画面に表示され、利用者の選択により、ＵＲＩアクセスメニューに対応するサービスインタフェースが開始されるサービス処理プロセスと、を含む統合識別子管理システムを提供する。
【００２９】
前記統合識別子管理システムは、電話番号、Ｅメールアドレス、ホームページアドレス、ＳＮＳアカウントを含む識別子の内の一つを単一の統合識別子とし、その下部に複数のＵＲＩをマッピングして、単一のインタフェースで開始する。
【００３０】
前記電話番号は、一般の有無線電話番号以外に、仮想の電話番号または不規則な数字の列であってもよい。
【００３１】
前記アドレスサーバは、加入登録者の基本情報、統合識別子情報、アドレス情報、表示情報、マッチング情報、及び追加の属性情報、設定情報を保存・管理するアドレス管理サーバと、アドレス管理サーバの下位に位置し、統合識別子の種類別にマッピングアドレスを管理するアドレスマッピングサーバとを含むサーバで構成されてもよい。
【００３２】
前記アドレスサーバには、アドレス管理サーバのマッチング情報及び属性情報、設定情報とアドレスマッピングサーバの検索及びログ情報に基づき、最適のマッチング対象アドレスブック（アドレスリスト）を抽出して提供するアドレスマッチングサーバがさらに含まれてもよい。
【００３３】
前記アドレス管理サーバのマッチング情報は、登録者の職業、所属、身分、住所等の静態的情報と、日常的活動を示す購買、移動、取引、現在の位置等の動態的情報と、サービスアクセスの形態を示すログ情報と、を含んでもよい。
【００３４】
前記マッチング情報は、本発明のサービス登録の有無にかかわらず、本発明による統合識別子を用いる一般利用者の動態的情報とログ情報を含んでもよい。
【００３５】
前記アドレスサーバは、単に複数のＵＲＩの統合識別のみを目的としてシステムを構成する場合は、マッチング機能とアドレスマッチングサーバを省略してもよい。
【００３６】
前記アドレスサーバは、オープンアプリケーションプログラミングインターフェース （ＡＰＩ：Ａｐｐｌｉｃａｔｉｏｎ  Ｐｒｏｇｒａｍｍｉｎｇ  Ｉｎｔｅｒｆａｃｅ）を介して外部の連関サーバと連動されてもよく、相互情報交換を通じて多様な応用サービスに活用され得る。
【００３７】
前記統合識別子固有のユーザインタフェース画面は、電話番号の場合、端末の既存の連絡先（アドレスブック）や既存の電話準備画面（またはダイヤルパッド画面）であり、Ｅメール、ホームページ、ＳＮＳの場合、既存の各サービスのユーザインタフェース画面であってもよい。
【００３８】
前記端末は、有無線通信の少なくとも一つ及びインターネットアクセスが可能であり、固有の識別番号を有した端末としてのスマートフォン、パソコン、タブレット型パソコン、人工知能（ＡＩ：Ａｒｔｉｆｉｃｉａｌ  Ｉｎｔｅｌｌｉｇｅｎｃｅ）スピーカー、キオスク、車両、電動キックスケーター、自転車等の運送手段を含んでもよい。
【００３９】
前記端末には、アプリケーションタイプで統合識別子サービス方法が具現されてもよく、前記アプリケーションは、アドレスサーバとの交信を通じて、アドレスサーバに登録されたアドレス登録現況に応じてＵＲＩアクセスメニュー及び連関情報を表示することはもとより、選択された特定のＵＲＩアクセスメニューに対応するサービスユーザインタフェースまたはサービスへのアクセスを連結してもよい。
【００４０】
また、本発明は、表示部と音声出力部と音声入力部とを含み、前記表示部には、電話通話モード画面（連絡先・アドレスブック、電話準備画面）において、（音声）電話、テレビ電話、テキストメッセージアクセスメニュー以外に、アドレスサーバのアドレスマッピング現況及び表示情報、その他の属性情報、設定情報により、複数のＵＲＩアクセスメニューと連関情報を表示する端末を提供する。
【００４１】
前記表示部には、アドレスマッチングサーバが抽出して伝達したアドレスを範疇化して表示するマッチングブック（マッチングアドレスブック）がさらに表示されてもよい。
【００４２】
また、前記ＵＲＩアクセスメニューは、電話、ファクシミリ、ウェブページ、Ｅメール、バンキングアカウント、メッセンジャー、ＳＮＳ、画像メディア、車両・機械、カメラのような端末内部資源、地理住所アクセスメニューの類型の少なくとも一つを含み、表示部において、前記ＵＲＩアクセスメニューの隠し・開き、共有、壁紙画像へのショートカット、一般の編集と設定が可能であってもよい。
【００４３】
また、前記表示部の表示では、電話番号の基本アクセスメニューである電話、テレビ電話、テキストメッセージアクセスメニューも一部除去し、または名称変更、及び他の位置に配列してもよい。
【００４４】
また、本発明は、アドレスマッピングサーバから端末に特定の統合識別子及び統合識別子とマッピングされたアドレス登録現況を伝達される段階と、前記端末の表示部の統合識別子利用者画面に、前記アドレスマッピングサーバから伝達された統合識別子とアドレス登録現況に対応するＵＲＩアクセスメニューと連関情報を表示する段階と、前記端末の表示部の利用者画面において、特定の統合識別子とその下部にマッピングされた特定のＵＲＩアクセスメニューを選択する段階と、前記選択されたＵＲＩアクセスメニューに対応するサービスユーザインタフェースまたはサービスページが前記端末に表示される段階と、を含むサービス方法を提供する。
【００４５】
前記ＵＲＩアクセスメニューは、電話、ファクシミリ、ウェブページ、Ｅメール、バンキングアカウント、メッセンジャー、ＳＮＳ、画像メディア、車両・機械、カメラ等の端末資源、地理住所アクセスメニューの類型の少なくとも一つを含んでもよく、単一階層はもとより、多層階層の構成が可能である。
【００４６】
前記ＵＲＩアクセスメニューは、最上位階層のアドレスから最下位階層のアドレスを抽象化して表示してもよく、個別的に独立的なサービスを構成し、または全体サービスの一部を構成するＵＲＩアクセスメニューであってもよい。
【００４７】
前記端末の表示部において、特定の統合識別子と特定のＵＲＩアクセスメニューを選択する段階は、音声入力部を介して入力された音声認識方式で特定の統合識別子と特定のＵＲＩアクセスメニューを選択して行われてもよい。
【００４８】
また、前記端末のサービス方法は、アドレス管理サーバの設定により、アドレスの露出、非露出を選別的に処理し、相手と時間、及び位置情報により、同一の統合識別子の下部に相違したマッピングＵＲＩアクセスメニューと情報を表示してもよい。
【００４９】
前記端末の表示部において、特定の統合識別子と特定のＵＲＩアクセスメニューを選択する段階は、複数の特定のＵＲIアクセスメニューを同時または順次的に選択して呼び出す方式で行われてもよい。
【００５０】
前記端末の表示部に表示される前記連関情報は、統合識別子登録者の属性情報（氏名、所属、地位、ロゴ、イメージ）、ＵＲＩアクセスメニューの属性・名称を表示するイメージ及びテキスト、また短いお知らせメッセージや広告・広報メッセージを含んでもよい。
【００５１】
本発明は、統合識別子とマッピングされた一般的ＵＲＩ（アドレス）以外に、端末に表示される情報を規定する表示情報、マッチングに用いられる検索情報及びログ情報、マッピングアドレスの制御のための設定情報を保存して管理する機能を含むアドレスマッピングサーバを提供する。
【００５２】
前記アドレスマッピングサーバは、統合識別子として用いられる既存の電話番号やサービス識別子を管理する電話番号・アカウント管理サーバの階層構造及びルーティング体系と平行に対応する同一のサーバ階層構造及びルーティング体系を有してもよい。
【００５３】
前記アドレスマッピングサーバは、電話番号を統合識別子として管理するアドレスマッピングサーバの場合、電話番号ルーティング階層構造と同様に、それぞれのアドレスマッピングサーバを管理する有無線通信網階層及び単位国家、国家間ルーティング階層構造を有してもよい。
【００５４】
前記アドレスマッピングサーバは、ブロックチェーンタイプの分散構造を採用し、アドレスマッピング情報を利用者の端末や分散サーバに保存して、ハッキングを防止しまたはアドレスの有効性を確保してもよい。
【００５５】
本発明はまた、アドレス管理サーバと連動され、登録者基本情報、統合識別アカウント情報、各アカウントにマッピングされるＵＲＩの登録、削除、変更、活性化、非活性化、及び名称変更、マッチング情報登録、修正、削除の少なくとも一つを行うユーザインタフェースと、受信報知情報及びマッチング現況を表示するユーザインタフェースと、を提供することができる。
【００５６】
前記ユーザインタフェースは、前記端末の表示部のある一部分に表示されるＵＲＩアクセスメニューであり、または独立した表示部またはアプリケーションであり、または機能キーであり、または特定の名称やアイコンで表示されてもよい。
【発明の効果】
【００５７】
本発明に係る端末、サービス方法、及びシステムによれば、発信者は、特別な説明や案内がなくても、既存の使用画面において、既存の識別子・アドレスの下部や周辺にさらに表示されるアクセスメニューをみたら、直観的に認識して用いることができる。
【００５８】
したがって、本発明は、電話番号だけ知っても、スマートフォン等の端末の表示部の電話モード（連絡先・アドレスブック、電話準備画面・ダイヤルパッド画面）において、単一の電話番号で、音声・テレビ電話とテキストメッセージ送信以外も、同一の電話モード画面において、各種のホームページアクセス、Ｅメール送信等のインターネットアドレス体系に属するサービスを用いることができる。それだけでなく、本発明は、バンキング、一般の地理的住所結合ナビゲーション等の一般のサービスアドレス体系と関連したサービスを容易に開始することができる。さらに、サービス提供者が統合識別子の下部のＵＲＩアクセスメニューの組合せによって具現した様々な融複合サービスに容易に接近して用いることができる。
【００５９】
また、本発明は、そのアドレスが統合識別子として活用される全てのサービスインタフェースにおいて、他のサービスに直ちに移行して同一の相手方とアクセスすることができる。例えば、メールアドレスを統合識別子として用いる場合は、相手方のメール住所だけ知っても、メールブラウザにメールアドレスと一緒に表示された電話、テキスト、ホームページアクセス、ＳＮＳアクセス、バンキング（送金、決済）等のアクセスが可能であり、電話・テキストは、スマートフォンとコンピュータテレフォニーインテグレーション （ＣＴＩ：Ｃｏｍｐｕｔｅｒ  Ｔｅｌｅｐｈｏｎｙ  Ｉｎｔｅｇｒａｔｉｏｎ）を介してパソコン上に電話機能がなくても使用が可能である。
【００６０】
一方、本発明の端末に表示されるＵＲＩアクセスメニューは、端末により設定されたメニューではなく、統合識別子の所有・管理者がアドレスサーバに登録した最新の情報により可変的に表示されるので、それぞれの統合識別子毎にいつもマッピングされたＵＲＩの最新状態を反映して、それぞれ異なって表示され、発信者は、アクセス前にアクセスしようとするＵＲＩの最新状態を事前に認知することができる。
【００６１】
また、受信者（アドレス所有者やサービス提供者）は、端末の設定により制限されないＵＲＩ項目の伝達及び構成と表示が可能である。したがって、所望の形態のＵＲＩメニュー表示名と全体的なアクセスメニューの構成、配列形態、リアルタイム公知等の連関情報まで自由に設定して、単一の統合識別子の下に発信者端末の表示部に表示し、相手がだれであるか、またその相手がどの場所に位置しているか、交信する時間・曜日・季節により、最適のＵＲＩメニューを構成して伝達することができる。
【００６２】
このように、本発明は、端末やシステムの事前設定による閉鎖構造ではなく、開放構造を適用しているので、それぞれ異なる機能と資源を有したＵＲＩを組合せ・配列し、新たなサービスを創出しまたは効果的な業務処理プロセス構築に活用し、本人が所有した資源をＵＲＩで表示することはもとより、インターネット上に流れている公開された資源を見つけ、殆ど無制限的に任意活用してサービス構成に活用することができる。
【００６３】
例えば、大学教授は、散在する資源を引き出して自身の電話番号の下に、講座紹介、講座計画、講義映像、参考資料、課題提出、講座参加学生のＳＮＳ、電話、テキスト、メールのようなＵＲＩメニューで構成し、一時間目の講義で黒板に自信の電話番号を書いて公知することにより、学生に伝達しようとする重要なことを全て伝達することができる。学生が教授の電話番号をアドレスブックに登録してからは、「１２月３日の講座時、小テストがある」のような簡単な公知を電話番号ウインドウの下部に表示し、全ての学生に同時に伝達するのみならず、いつでも所望の形態のＵＲＩを変形構成して学生に必要な資源を伝達することができる。
【００６４】
また、本発明は、不変なアカウントにより管理されるアドレス管理サーバの下位階層に、変化可能なアカウントを統合識別子として管理するアドレスマッピングサーバを位置させることにより、統合識別子の登録、削除、変更に容易に対処することができる。
【００６５】
一方、統合識別子の下部に表示されるＵＲＩは、メニュータイプの識別子として表示され、実際のアドレスは表示されず、当該サービスページに移動して、サービスが開始されるときも、アドレスそのものは、設定によりマスキング処理されるので、アクセスは願うが、アドレスの露出は願っていない受信者には、有用に活用される。
【００６６】
また、単位ＵＲＩ及び複数・同時起動ＵＲＩ、上下位の区分がない各種のアドレス階層の統合表示、ＵＲＩ共有機能、ＣＴＩ等を用いて、多様な属性と類型の特性を有したＵＲＩを無限に組み合わせて統合展開することができるので、多様なサービスの構成及びアプリケーションの伝達のためのプラットフォームとして活用され、既存に使用し難かった長くて複雑なサブアドレス資源も無制限に活用することができる。
【００６７】
特に、既存に単純に電話通話やテキストの送信のみのために用いられた電話番号が、最も接近し易く、利用し易いとともに、全ての情報とサービスをアクセスして伝達する識別子として再び生まれるようになる。このとき、電話番号は、オン・オフラインを網羅した全ての媒体（看板、広告版、サイト、メディア）を介して簡単に伝達されて表示されるので、この電話番号が全ての形態の複雑で多様なＵＲＩをマッピングするようになると、情報・サービス接近性と伝達が既存とは比較できない程度に向上する。
【００６８】
また、ＵＲＩ共有機能、壁紙画像へのショートカット表示等により、既存のアプリストアを介さずにも、電話番号とのマッピングを介したアプリの伝達及びインストールが可能である。個人化した共有ショッピングモールを個々人の電話番号の下にインストールして、新たな流通生態系を創出し、ＵＲＩマーケットやオープンＡＰＩを介した外部資源との連動によって、既存のアプリマーケットとアプリのダウンロードインストール・利用に匹敵するサービス生態系が創出され得る。
【００６９】
併せて、付随的な効果として、わざわざ検索サイトから相手方を探すことなく、アドレスの登録時に記入したマッチング情報や属性情報、また動態的情報に基づき、マッチングサーバが自動に抽出するマッチングブックを介して最適の相手方を見つけることができる。
【図面の簡単な説明】
【００７０】
【図１】本発明に係る統合識別子システムの全体構成を概念化して示す図である。
【図２】本発明に係る統合識別子サービスが具現される端末の一例を示す図である。
【図３】本発明に係る端末の連絡先アドレスブックの一例を既存の端末と比較して示す図である。
【図４】本発明に係る端末の電話準備画面の一例を既存の端末と比較して示す図である。
【図５】本発明に係るＥメール画面の一例を既存のＥメール画面と比較して示す図である。
【図６】本発明に係るマッチングブック（マッチングアドレスブック）を例示して示す図である。
【図７】本発明に係る統合識別子及びアドレス（ＵＲＩ）を登録する手続きの一例を示す図である。
【図８】本発明に係るアドレス管理サーバの画面を例示して示す図である。
【図９】本発明に係るアドレスマッピングサーバのＤＢ（データベース）構成を例示して示す図である。
【図１０】本発明に係る端末とアドレスマッピングサーバとの間の同期化プロセスを例示して示す図である。
【図１１】本発明に係る統合識別サービス方法を例示して示す図である。
【図１２】本発明に係る端末の電話準備画面（またはダイヤルパッド画面）においてサービスが処理されるプロセスの一例を示す図である。
【図１３】本発明に係る端末において、複数のＵＲＩアクセスメニューが同時に処理される方法を例示して示す図である。
【図１４】本発明に係るアドレスマッチングサーバにより最適のマッチングアドレスブック（アドレスリスト）が抽出され、端末のマッチングブック（マッチングアドレスブック）に表示される方法を例示して示す図である。
【図１５】電話番号アドレスマッピングサーバの階層構造を例示して示す図である。
【発明を実施するための形態】
【００７１】
本発明は、後述する詳細な説明により、本発明が属する分野における通常の技術を有する者が容易に発明の技術的思想を実施することができるであろう。本発明の実施例を説明するに当たって、関連した公知技術は、本発明の実施例の説明に必要な場合を除いては具体的な説明を省略す
る。
【００７２】
以下、添付図面を参照して、上記した目的を具体的に実現できる本発明の好適な実施例について詳述する。
【００７３】
実施例の説明において、各構成要素の「上（上方）または下（下方）（ｏｎ  ｏｒ  ｕｎｄｅｒ）」に形成されるものと記載される場合において、上（上方）または下（下方）は、二つの構成要素が互いに直接接触され、または一つ以上の他の構成要素が前記二つの構成要素間に配置されて形成されることを全て含む。また、「上（上方）または下（下方）」と表現される場合、一つの構成要素を基準として上方のみならず下方の意味も含んでもよい。
【００７４】
また、以下で用いられる「第一」及び「第二」、「上・上部・上方」及び「下・下部・下方」のような関係的用語は、そのような実体または要素間の如何なる物理的または論理的関係または順序を必ずしも要求または内包しないとともに、ある一つの実体または要素を他の実体または要素と区別するためにのみ用いられてもよい。また、同一の参照番号は、図面の説明を通じて同一の要素を示す。
【００７５】
また、「含む」、「構成する」、または「有する」等の用語は、特に断りのない限り、当該構成要素が内在され得ることを意味するので、他の構成要素を除外するものではなく、他の構成要素をさらに含んでもよいものと解釈されなければならない。また、「対応する」の用語は、「相互作用する」または「特定の規則下に関係する」の意味のうち少なくとも一つを含んでもよい。
【００７６】
また、厳密な意味において、インターネット網上の情報資源の位置指定子ではなく、バンキングアカウントや一般地理的住所等もインターネット上で表現され、後続サービスが処理されてもよいという側面で、ＵＲＩで統一して表記し、ＵＲＩとアドレスとの用語を混用する。
【００７７】
図１は、本発明の統合識別子が作動する全体的なシステム構成の概念を示す図である。
【００７８】
本発明に係る端末１０１は、スマートフォン１０１１、タブレット型パソコン１０１２、パソコン１０１３、自動車１０１４、ＡＩスピーカー１０１５であり、またはキオスク、インターネット電話、ＰＣソフトフォン、携帯型メディアプレーヤ（ＰＭＰ：Ｐｏｒｔａｂｌｅ  Ｍｅｄｉａ  Ｐｌａｙｅｒ）、携帯情報端末（ＰＤＡ：Ｐｅｒｓｏｎａｌ  Ｄｉｇｉｔａｌ  Ａｓｓｉｓｔａｎｔ）等のタッチやクリック機能が可能な端末であり、または音声命令語により制御される端末である。また、端末１０１は、インターネットアクセスが可能であり、特に、表示部の下部（内部）に位置し、サービＵＩ及びサービスアクセス駆動（Ｌａｕｎｃｈｅｒ）を処理するアプリケーションが搭載された全ての端末を含む（フィーチャーフォンを含む）。各端末は、同一の所有者や管理者に属する場合、相互同期化されまたは連動されてもよい。
【００７９】
本発明に係るサービスを処理するアドレスサーバは、アドレス管理サーバ１１１、アドレスマッピングサーバ１２１〜３、１３１〜３、アドレスマッチングサーバ１４１の構成を有する。但し、これは、概念上の理解のために区分されたものであり、論理的・物理的には具現環境及び与件によりいくらでも統合、一部省略または分離されてもよい。
【００８０】
前記アドレス管理サーバは、アドレス登録者の端末と交信して、登録者の基本情報、統合識別子情報、住所情報、表示情報、及び属性情報を保存して管理し、アドレスマッピングサーバを下位に置いて管理する。
【００８１】
前記アドレスマッピングサーバは、それぞれの統合識別子アカウント（電話番号、メールアドレス、ＳＮＳアカウント等）を管理するサーバと対応する階層構造を有し、対応するアカウント管理サーバと相互交信し、同アカウントにマッピングされたＵＲＩ及び連関情報を伝達して、当該アカウントのユーザインタフェースであるサービス画面に表示する。このとき、アドレスマッピングサーバの情報は、アドレス管理サーバの情報によってアップデートされる。
【００８２】
前記アドレスマッチングサーバは、アドレス管理サーバに登載された登録者の属性に関する静態的情報及びアドレスマッピングサーバにより収集された動態的情報とログ情報を収集して総合分析してから、最上のマッチング対象のアドレスをマッチング・抽出して利用者端末に表示する。
【００８３】
前記アドレスマッチングサーバは、マッチングサービスを提供しない場合、アドレスサーバの構成において省略されてもよい。
【００８４】
本発明に係る端末を用いる利用者が、端末の表示部において、アドレスマッピングサーバの伝達情報により表示された統合識別子下のＵＲＩアクセスメニューを選択すると、それぞれのＵＲＩと対応するサービスにアクセスされ、またはＵＩが開始され、後続サービスは、各サービスを担当するサーバ１５１、１５２、１５３により処理される。一方、端末に表示されるＵＲＩを支援する固有アプリケーションは、基本パッケージとして統合識別子端末アプリケーションに含まれて自動に提供・インストールされ、またはそれぞれの端末利用者がインストールしてもよい。
【００８５】
図２は、本発明に係る統合識別子サービスが具現される端末の一例を示す図である。
【００８６】
本発明に係る端末１０１は、端末に保存または入力される一つの有無線電話番号またはサービス識別子を介して、音声電話とテレビ電話及びテキストメッセージの伝達以外に、Ｅメールアドレス、ホームページアドレス、バンキングアカウントナンバー、及びＳＮＳアカウント等の各種のＵＲＩをマッピングさせ、連絡先アドレスブック画面や電話準備画面またはそれぞれのサービス画面において、インターネットアクセス等の多様なサービスを開始することができる。このとき、上述した機能は、各端末にインストールされたアプリケーションを介して具現されてもよい。
【００８７】
前記端末１０１は、図２に示すように、ハウジング２０１、表示部２０２、音声出力部２０３、音声入力部２０４、第一通信モジュール２０５、第二通信モジュール２０６、及び制御部２０７を含んでなる。
【００８８】
前記ハウジング２０１は、端末１０１の各構成を収納する胴体である。
【００８９】
前記表示部２０２は、端末の表示部であってもよく、後述する連絡先アドレスブック画面または電話準備画面、Ｅメール画面が表示される領域であってもよく、また利用者が端末をタッチまたはクリックする入力部であってもよい。
【００９０】
前記音声出力部２０３は、端末１０１のスピーカーであってもよく、音声入力部２０４は、端末のマイクであってもよい。
【００９１】
前記第一通信モジュール２０５、第二通信モジュール２０６、及び制御部２０７は、ハウジング２０１の内部に設けられ、外部に露出せず、図２において点線で示している。
【００９２】
前記第一通信モジュール２０５は、端末１０１の音声電話のための信号を送信・受信し、有無線基地局と信号を授受するモジュールである。
【００９３】
前記第二通信モジュール２０６は、端末１０１のインターネットアクセス等のための信号を送信・受信するモジュールである。端末によっては第二通信モジュールのみを備えてもよい。
【００９４】
前記制御部２０７は、端末１０１内の各構成の作用を制御する。端末のハウジングと表示部と各構成は、端末の種類によって形態または配置が異なる。
【００９５】
図３は、本発明の実施例に係る端末の連絡先アドレスブック画面の一例を従来の端末の画面と対比して示す図である。ここで、核心的な要素は、本発明に係る画面が、ＥＮＵＭ等のように別途のクライアントまたは別途の画面を構成せず、既存の端末の画面と全く異なる構成や利用方法を要求しておらず、既存の利用画面において、自然なバージョンアップタイプの追加の機能のみを加え、自然な受容、直観的な識別と使用法の学習が可能であるということである。すなわち、本発明の利用者画面は、いつも既存の利用画面に統合される。これは、図４に例示された電話準備画面（またはダイヤルパッド画面）や、図５に例示されたＥメール画面にも同様に適用される。ここで、既存の利用画面との統合というのは、たとえ、他の端末アプリケーションがインストールされても、画面及び機能的に既存の利用者画面と統合された形態を有していることを意味する。すなわち、本発明が適用される端末でも、既存の端末で用いたような画面において既存のサービスを既存の方法通りに用いながら、さらに図３に表示された機能を用いることができるという意味である。もちろん、スマートフォンとパソコン及びタブレット型パソコンとの同期化のために、スマートフォンと同じ画面のアプリケーションがパソコンやタブレット型パソコンにインストールされてもよい。本発明に係るサービスが普遍的になる場合は、既存のサービス画面とは異なる別個のサービス画面が、大幅なアップグレードの必要のため、新たに構成されてもよい。
【００９６】
アドレスブックの表示領域には、従来の端末３００の音声電話メニュー、テレビ電話メニュー、テキストメッセージメニュー３０１以外に、電話アドレスマッピングサーバ１２１、１２２、１２３から伝達されたマッピングアドレス登録現況（基本情報、アドレス情報、表示情報）により、複数のＵＲＩアクセスメニューが表示３１１されてもよい。ここで、ＵＲＩアクセスメニューは、Ｅメールアクセスメニュー、ホームページアクセスメニュー、ＳＮＳアクセスメニュー、バンキングアクセスメニュー等に分けられて表示されるが、これに限定されず、ＵＲＩアクセスメニューの名称も自由に設定して表示されてもよい。
【００９７】
また、各アクセスメニューは、その下部にサブアクセスメニューを含む多層構成を有してもよい。アクセスメニュー表示領域の下部には、各アクセスメニューの実質的なＵＲＩ情報及びＵＲＩに対応するサービスＵＩを呼出し、またはサービスアクセスを駆動するアプリケーションが存在する。また、表示領域には、ＵＲＩアクセスメニュー以外に、簡単なお知らせメッセージ３１２が表示されてもよく、アドレスマッピングサーバの表示情報の設定により、サービス提供者が表示しようとする任意の形態で、既存のアクセスメニュー及びＵＲＩアクセスメニューが配列され、イメージとテキスト等が複合された広告・広報情報が表示３２１されてもよい。このようにサービス提供者は、各アクセスメニュー毎に独立的なサービスの性格を有した単純マッピング形態３１１でアクセスメニューを構成してもよく、各アクセスメニューが全体サービス構成の要素である形態３２１で構成してもよい。
【００９８】
一方、図３のような表示領域３１１を有する連絡先アドレスブックは、Ｅメールアドレスブック、各ＳＮＳの友達目録等のような形態のアドレスブックと結合して、Ｅメール画面や各ＳＮＳサービス画面に具現される。
【００９９】
図４は、既存の端末３００と本発明の実施例に係る端末１０１の電話準備画面を比較して示した図である。２種類の端末共に、検索窓４０１、４１１と電話番号入力窓４０２、４１２が表示される。既存の端末３００において、電話番号入力窓４０２に電話番号を入力し、アクセスメニュー表示部４０３で電話を選択すると、音声電話を行うことができる。本発明の端末１０１において、電話番号を入力してから、電話番号入力窓４１２に表示される質疑ボタンをタッチしたら、アクセスメニュー表示部４１３に電話、テレビ電話、テキストメッセージアクセスメニュー以外に、アドレスマッピングサーバのアドレス（ＵＲＩ）及び表示情報の設定により、複数のＵＲＩアクセスメニューが表示される。また、設定により異なる形態で表示４２３されてもよい。
【０１００】
検索の場合、既存の端末３００での検索は、端末内部の登録電話番号や最近利用電話番号に限られる。しかし、本発明の端末１０１では、端末内部に保存された電話番号以外に、アドレスマッピングサーバで電話番号（等）を検索し、電話準備画面（またはダイヤルパッド画面）または別途の画面に電話番号保有者の基本情報及び複数のマッピングＵＲＩアクセスメニューと一緒に表示する。ＵＲＩアクセスメニューの表示呼出しは、質疑ボタン方式以外にも、画面構成により多様な方法を採用することができる。また、検索も、検索ボタンを分類して、一般電話番号検索とアプリマッピング電話番号を分離して検索することもできる。
【０１０１】
図５は、既存のＥメールサービス画面と本発明の実施例に係るＥメールサービス画面を比較して示した図である。
【０１０２】
既存のＥメールサービス画面５００の場合、相手方、簡略なメールのタイトルや内容、また送受信日付が表示される配列の形態５０１を有する。
【０１０３】
本発明の実施例に係るＥメールサービス画面５１０では、相手方表示部に当該相手方のメールアカウントにマッチングされる複数のＵＲＩアクセスメニューが、メールアドレスマッピングサーバ１３１の情報により表示５１１、５１２されてもよい。これは、表示方法の一例であり、これに限らず、Ｅメールブラウザの画面構成により多様な方法で表示される。利用者は、このＥメール画面において、メール送受信以外に電話、ファクシミリ、ホームページアクセス等のサービスを処理することができる。パソコン等の端末が電話やテキストメッセージを提供しない場合、ＣＴＩ機能を活用すると、利用者の他の端末との同期化を通じて、電話及びテキストサービスの処理も可能となる。
【０１０４】
このようにホームページ画面の場合は、ホームページアドレスを示す表示部の画面に、ＳＮＳアカウントの場合は、それぞれの相手を表示する表示部の画面に、マッピングされたＵＲＩアクセスメニューを表示し、それに対応するサービスを開始する。
【０１０５】
図６は、本発明のアドレスマッチングサーバにより抽出されたマッチングアドレスブックが端末の表示部に表示されることを例示した図である。
【０１０６】
前記端末１０１の表示部２０２には、既存のアドレスブックである連絡先以外にマッチングブック６００（マッチングアドレスブック）のアイコンが表示される。このようなマッチングブック６００をタッチしたら、アドレスマッチングサーバ１４１が抽出して生成したマッチングアドレス情報がカテゴリ別に表示６０１され、この表示部において適合した相手方を選択後、連絡先アドレスブック３１１におけると同じＵＲＩアクセスメニューにより所望の相手方と交信することができる。
【０１０７】
このマッピングアドレスブックも、ＥメールやＳＮＳの画面において、既存の友達目録、アドレスブックとは別途の目録・メニューの形態で表示されてもよい。
【０１０８】
このような本発明に係る端末の表示部に、既存のアクセスメニューや相手方アドレス・アカウント以外に、複数のＵＲＩアクセスメニューを表示するためには、統合識別子の役割を行うそれぞれの電話番号・サービス識別子及びそれにマッピングされるＥメールやホームページアドレス、またはバンキングアカウントナンバー、及び多様なサービスアドレス（ＵＲＩ）を保存し、連関した情報を管理するアドレスサーバが必要である。
【０１０９】
図７は、アドレス管理サーバに統合識別子及びアドレスを登録する手続きを例示して示す図である。
【０１１０】
登録利用者は、端末１０１の表示部２０２または連絡先アドレスブック画面や電話準備画面上に機能キーまたはアイコンの形態で表示されるアドレス管理サーバ１１１のアクセスＵＩを介してアドレス管理画面にアクセスする。利用者は、アドレス管理サーバが提供する画面において、利用者が登録しようとするアドレスを登録する。先ず、登録を願う利用者の加入者認証（Ｓ７０１）を通じて、正当な登録の権利を有する利用者がアクセスしたかを判別する。正当な登録の権利を有した利用者でなければ、登録は拒絶され、正当な利用者であれば、アドレス管理サーバ登録画面がオープン（Ｓ７０２）される。利用者が登録しようとする統合識別子として電話番号やメールアドレスまたはサービス識別子を入力すると、アドレス管理サーバが正当な所有者または管理者であるかを認証（Ｓ７０３）する。正当な管理者であれば、当該電話番号やアカウントを統合識別子として登録し、同統合識別子の下部にマッピングされるアドレス及び連関編集情報、設定情報、表示情報を登録（Ｓ７０４）する。サービス連結ＵＲＩまたはアドレスを入力すると、アドレス管理サーバは、入力されるアドレスの有効性を検査（Ｓ７０５）し、有効でなければ、登録を拒絶し、有効なアドレスだけ登録を許容する。利用者が有効なアドレスを入力し、最終的に登録を確認（Ｓ７０６）すると、アドレスの登録が終了される。上記した手続きは、アドレス登録時、バンキングアカウントナンバーのように重要なアドレスが含まれると、別途の特別な認証手続きを経る段階を加えてもよい。上記した手続きは、必ず時間的連続性を有して処理される必要はなく、登録の最も基本的な認証要素を表示するための手続きであるので、いくらでも変形が可能である。
【０１１１】
図８は、アドレス管理サーバの管理画面を例示して示した図である。
【０１１２】
アドレス管理サーバに登載される加入者は、不変のアカウントを有し、同アカウントの下に加入者情報が登録されて管理される。
【０１１３】
正当なアクセス権利を有する利用者が自身のアドレス管理画面にアクセスすると、加入者基本情報８００、アドレス登録８１０、表示情報８２０、及びマッチング情報登録８３０が可能な画面に接近することができる。図７における登録・入力手続きを基本として、それぞれの画面において、該当する情報を登録、修正、削除し、各情報を編集または設定する作業を処理する。この画面において、統合識別子を登録及び管理８１１、８１１１、８１１２し、各アドレスの登録及び設定８１２、統合識別子、相手方、場所、時間等による多様な表示情報を編集及び設定８２１、８２２する。また、最適の相手方を検索するための基本情報として、マッチングキーワードを登録８３１する。また、アドレス管理サーバは、公知の技術を活用して、相手の端末に配列される表示形態を予め点検して修正できるプレビュー、各種の機能及び情報を提供するサービス資源を探すＵＲＩマーケット、登録者が登録したＵＲＩと連携されるサービス画面において、各種情報の登録、修正、削除等の編集及び設定を行う統合インタフェースを提供する。それだけでなく、オープンＡＰＩを介して他のサービスサイトのサーバにも連関情報を送り出し、アドレスアップデートや統合識別サービスを提供するのに活用される。図８におけるアドレス管理サーバ画面は、一般利用者のための簡略構成、プレミアム利用者のための高級構成、及び高度のサービス提供のための高度構成等に分けて提供されてもよい。
【０１１４】
図９は、図８におけるアドレス管理サーバの情報により生成するアドレスマッピングサーバのデータベースの基本構成を例示した図である。アドレスマッピングサーバの情報は、アドレス管理サーバの情報により統制され、統合識別子を含む全ての情報は変更され得る。図８におけるアドレス管理サーバに登録された統合識別アカウントにより、当該アカウントのアドレスマッピングサーバに関連アドレスと情報が伝達されて保存され、アドレスマッピングサーバの情報により、利用者端末に統合識別子及び下部マッピングＵＲＩアクセスメニューとの連関情報が表示される。例えば、アドレス管理サーバの統合識別アカウント登録８１１項目に無線電話番号８１１１とＥメールアカウント８１１２が登録されると、当該無線電話番号を管掌するアドレスマッピングサーバ１２１に、無線電話番号８１１１のアドレスマッピングデータベース９０１が構成され、それとともに、当該Ｅメールアカウント８１１２を管掌するアドレスマッピングサーバ１３１に、Ｅメールアカウント８１１２のアドレスマッピングデータベース９０２が構成される。併せて、利用者が生成した検索情報とログ情報もデータベースに保存され、非登録利用者の検索及びログ情報も、別途のＤＢタイプでそれぞれのアドレスマッピングサーバに保存及び管理される。例えば、無線電話アドレスマッピングサーバのアドレスを検索し、または無線電話統合識別子下のＵＲＩアクセスメニューを用いた非登録利用者の検索及びログ情報も保存及び管理９０１２される。また、各アドレスマッピングサーバは、アドレスマッピング情報を同期化またはアップデートすべき端末やアカウントに関する全ての情報を保有している。一方、全ての単一国家ドメイン下の電話番号は、加入者の国家番号入力の有無にかかわらず、最上位識別コードとして国家番号を有する。
【０１１５】
それと同じ方法で、ホームページアドレスや各ＳＮＳアカウントを統合識別子とするアドレスマッピングサーバが構成される。
【０１１６】
本発明の実施例に係る端末１０１とアドレスマッピングサーバ１２１〜３、１３１〜３は、周期的・非周期的な要請により相互同期化プロセスを有する。
【０１１７】
図１０は、本発明の実施例に係る端末とアドレスマッピングサーバとの間の同期化方法を示す図である。実施例に係る端末利用者の全ての相手方が、実施例に係るアドレス管理サーバに自己の統合識別子やＵＲＩを登録する加入者であるわけにはいかない。また、加入者であっても、前記画面に表示可能な全てのＵＲＩを登録しまたは活性化させなくてもよく、表示情報やその他の属性情報及び設定情報も随時変動が可能である。これにより、端末は、アドレスマッピングサーバとの同期化により、選択可能な統合識別子と下部のＵＲＩアクセスメニュー及び情報を最新の状態にアップデートして表示しなければならない。
【０１１８】
実施例の端末において、アドレスマッピングサーバに特定の電話番号や識別子にマッピングされたアドレス（ＵＲＩ）の現況を質疑（Ｓ１００１）すると、アドレスマッピングサーバは、特定の電話番号または識別子にマッピングされたアドレスを検索（Ｓ１００２）してから、マッピングアドレス現況（住所情報、表示情報、属性・設定情報等）を端末に通報（Ｓ１００３）する。端末は、マッピングアドレス現況を受け付け（Ｓ１００４）てから、マッピングされたアドレスに対応するアクセスメニューのみを、端末の連絡先アドレスブック画面やそれぞれの統合識別子利用画面のアクセスメニュー表示領域にテキスト・アイコンで表示（Ｓ１００５）し、アクセスコントロールを設定した場合、活性化の有無による活性化表示を行うことができる。一方、登録者がアドレス管理サーバにおいて情報を変更すると、アドレスマッピングサーバにアップデートされ、端末の要請無しにアドレスマッピングサーバが変更情報を端末に通報（Ｓ１０１１）し、最新の状態にアップデートして表示することができる。このような同期化手続きは、一般のアドレスブックのみならず、最新利用記録による連絡先、マッチングアドレスブックの連絡先等にも同様に適用される。
【０１１９】
図１１は、本発明の実施例に係る統合識別サービス処理方法を示す図である。
【０１２０】
先ず、図１０に示すように、特定の電話番号や識別子及びその下部にマッピングされたアドレス登録現況（基本情報、統合識別子情報、ＵＲＩ情報、表示情報）をアドレスマッピングサーバから端末に伝達され（Ｓ１１０２）、特定の電話番号・識別子にマッピングされたアドレス（ＵＲＩ）に対応するＵＲＩアクセスメニューを、端末の当該電話番号・識別子支援表示部ＵＩ（例：電話は電話関連画面、ＥメールはＥメール画面）に表示（Ｓ１１０３）する。利用者が表示されたＵＲＩアクセスメニューのうち所望のアクセスメニューを選択（Ｓ１１０４）すると、このアクセスメニューに対応するＵＩが開き（Ｓ１１０５）、ホームページアクセスのようなアクセスメニューは、直ちにサービスアクセス処理（Ｓ１１０６）される。また、Ｅメール等のように作成作業が必要である場合は、Ｅメールウィンドウが開き、同画面で編集作業処理後、発送等のサービスが処理（Ｓ１１０７）される。サービス利用者画面のアドレスウィンドウに表示されるアドレスは、設定により、相手方のアドレスが露出した状態であり、または相手を識別する最小情報以外にはマスキング（例：ホン・ギルトン／ｋｉｌｘｘｘｘ＠ｘｘｘｘ．ｃｏｍ）処理された状態で表示される。
【０１２１】
表示部において、特定のＵＲＩアクセスメニューを選択するとき、タッチ・クリックする方式で行い、運転中のように、タッチ方式を用い難い場合は、音声認識を活用する。例えば、特定相手方の氏名または相手方の電話番号と一緒に地理的住所（地図）のアクセスメニューを音声で呼び出す（例：「ホン・ギルトン住所連結」、「０１０１２３４５６７８住所連結」）と、上記した図１１による信号処理段階と同じ方法により、直ちに当該相手方の地理的住所がＵＩに表示され、道案内・ナビゲーション等の後続サービスが容易に処理される。
【０１２２】
図１２は、本発明の実施例に係る端末の電話準備画面（またはダイヤルパッド画面）上においてサービスが処理される方法の一例を示す図である。
【０１２３】
利用者は、特定の電話番号を入力してから、アクセスメニュー質疑ボタンを選択してサービスを開始する前に、選択可能なアクセスメニューをアドレスマッピングサーバに質疑する。電話準備画面（またはダイヤルパッド画面）に特定の電話番号を入力した後、入力終了表示を行い、または電話準備画面（またはダイヤルパッド画面）に別途に表示された質疑アイコンを押圧すると（Ｓ１２０１）、質疑要請信号がアドレスマッピングサーバに伝達される。アドレスマッピングサーバは、要請された電話番号の下に登録されたマッピングアドレス現況を検索（Ｓ１２０２）し、端末に登録現況を通報（Ｓ１２０３）する。端末は、登録現況を受け付け、マッピングされたアドレス（ＵＲＩ）に対応するアクセスメニューのみをアクセスメニュー領域に表示（Ｓ１２０４）する。利用者が表示されたアクセスメニューのうち、特定のアクセスメニューを選択（Ｓ１２０５）すると、端末の電話準備画面の下部で作動するアプリケーションは、選択アクセスメニューの対応ＵＩを呼出し及び表示（Ｓ１２０６）し、後続サービスを処理（Ｓ１２０７、Ｓ１２０８）する。
【０１２４】
図１３は、実施例に係る端末において、複数のサービスを同時に処理する方法を例示して示す図である。同機能を活用して、多様な有無線複合、音声・データ統合、ＣＴＩ等のサービス組合せを創出することができる。
【０１２５】
例えば、受信者がアドレス管理サーバに電話＋現金自動預払機（ＡＴＭ：Ａｕｔｏｍａｔｅｄ  Ｔｅｌｌｅｒ  Ｍａｃｈｉｎｅ）への同時アクセスメニューを設定すると、アドレスマッピングサーバを介して端末に伝達（Ｓ１３０１）されて表示（Ｓ１３０２）される。端末の電話準備画面や連絡先アドレスブック画面において、電話・ＡＴＭ同時アクセスメニューを選択（Ｓ１３０３）すると、端末は、一般の電話連結を要請するとともにＡＴＭ画面をオープン（Ｓ１３０４）し、利用者は、音声案内と同時にＡＴＭメニュー画面にアクセスしてサービスを用いることができる。このプロセスを活用すると、複数のチャンネル方式によるハッキング防止音声案内、決済・送金サービス、音声案内お客様センタ画面等を提供して、利用者が極めて便利にサービスを用いるようになる。同時アクセスメニュー選択のためのアイコンは、個別アイコンの複合形態（例：電話・バンキングなど）で表示し、または単一アイコンタイプの複数サービスアクセスメニューまたは順次的アクセスメニューの選択により具現することができる。このような方式で、利用者は、相手方との業務処理の必要に応じて複数のサービスを同時に用いるようになる。
【０１２６】
図１４は、端末のマッチングブック（マッチングアドレスブック）にマッチングアドレスが表示されるプロセスを示す図である。最適なマッチングのための基本情報は、利用者がアドレス管理サーバに登録する属性情報、キーワード（Ｓ１４０１）、利用者がアドレスマッピングサーバで検索したアドレス（Ｓ１４０２）の情報、また利用者が端末の表示部で選択して用いたＵＲＩアクセスメニューのログ情報（Ｓ１４０３）である。アドレスマッチングサーバのサーチ・マッチングエンジンは、アドレス管理サーバが保存及び管理する利用者マッチング情報（Ｓ１４０４）と、アドレスマッピングサーバで収集・管理する利用者検索情報及びログ情報（Ｓ１４０５、Ｓ１４０６）を参照して、最適なマッチングアドレスブックを抽出（Ｓ１４０７）する。次に、登録利用者（Ｓ１４０８）の場合は、アドレス管理サーバを経由（Ｓ１４０９）してアカウント登録者端末のマッチングブックに表示（Ｓ１４１２）し、非登録利用者（Ｓ１４１０）の場合は、アドレスマッピングサーバにログ情報として保存されている利用者の端末に伝達（Ｓ１４１１）してマッチングブックに表示（Ｓ１４１２）する。このようなマッチングプロセスは一例に過ぎず、本発明に基づいてさらに効率的かつ正確なマッチングのためのソリューションが用いられ得る。
【０１２７】
本発明に係るアドレスサーバ（アドレス管理サーバ及びアドレスマッピングサーバ）は、インターネットドメインサーバの構造を有さず、複雑なアドレス変換及び抽出過程を要さず、電話番号やアカウントをキー値とする一般のアドレスデータベースサーバであって、特定の端末で要請する統合識別子情報がどのアドレスマッピングサーバに存在するかが見つけられる限り、特定の階層構造を要求してはいない。しかし、アドレスマッピングサーバの場合、一般に、既存の電話番号やサービス識別子の加入者管理サーバと平行に対応する階層構造及びルーティング体系を有することが効率的である。
【０１２８】
図１５は、電話番号を統合識別子とするアドレスマッピングサーバの階層構造を例示して示す図である。
【０１２９】
電話番号を統合識別子とするアドレスマッピングサーバは、電話番号と密接して連結されているので、電話番号を処理する網の階層構造と同一の階層構造を有する。それぞれ自分の電話番号を管理する通信網は、それぞれの階位に対応するアドレスマッピングサーバを有する。例えば、一国内の通信網Ａは、通信網Ａのアドレスマッピングサーバ１５０１を有し、同じ通信網階位の通信網Ｂのアドレスマッピングサーバ１５０２が存在する。同じ階位の通信網間を連結するために、上位階位の網が存在し、単一国家内の最上位階位が存在する。このため、各上位階位に対応するアドレスマッピングサーバが存在し、一国内では、例示したＡ国アドレスマッピングサーバ１５０３が存在する。各国のアドレスマッピングサーバは、例示のように、Ｂ国のアドレスマッピングサーバ１５０４、Ｃ国１５０７、Ｄ国１５０８、Ｅ国１５０９、Ｆ国１５１０のアドレスマッピングサーバ間に相互連動されており、例示のＢ国の下位階位に属する通信網Ｃのアドレスマッピングサーバ１５０５、通信網Ｄのアドレスマッピングサーバ１５０６のような階層構造下に全世界的に相互連動される。個別のアドレスマッピングサーバは、各階位で行う役割により、単純な呼ルーティングサーバまたは呼ルーティングとアドレスマッピングデータベースの管理を同時に行うサーバであってもよい。また、アドレスマッピングサーバの効率的管理と安定的なサービス処理のためのサーバ機能の統合及び分散（例えば、呼ルーティングサーバとデータ管理サーバの分割）、データの保護のためのブロックチェーン技術の採用等は、サービスの具現環境及び使用形態に応じて、公開された技術により、最適の方法を採用して具現すればよいので、ここでは、詳細な説明を省略する。また、実施例におけるアドレスマッピングサーバの役割は、一般のサービス呼の処理ではなく、特定の通信番号やサービス識別子の下にマッピングされる登録アドレス現況を端末に伝達することであるので、同時呼処理の負荷に耐える範囲内であれば、複雑な階位の分散階層構造ではなく、一般通信網やサービス識別子の階位とは異なる簡単な構造で設計することもできる。
【０１３０】
以上、実施例を中心として説明したが、これは、単に例示であるだけで、本発明を限定するものではなく、本発明の属する分野における通常の知識を有する者であれば、本実施例の本質的な特性を逸脱しない範囲内で、上記例示していない種々の変形と応用が可能であることが分かるであろう。例えば、本発明に係る統合識別サービスに加入していない利用者の電話番号の下にも、最も基本となるＵＲＩアクセスメニューを表示し、同時に非活性化表示を行うと、利用者の統合識別サービスの認識向上と非加入者の加入誘導に役立つであろう。また、情報保安等の特別な目的の必要上、サービス処理方法の段階に追加または変形が可能であろう。例えば、アドレスマッピングサーバの実質的なアドレス情報のみを除いた情報を端末に送り、アクセスメニューで表示してから、実際のプロセッシング時にのみ、当該アクセスメニューに対応するアドレスをアドレスマッピングサーバで抽出する段階をさらに経て端末に送ってもよい。また、本発明のアドレス管理サーバは、外部サーバと連携されるオープンＡＰＩを提供し、これにより、多様なサービス連携が可能である。すなわち、サービスの実施例に具体的に示した各構成要素は、実質的な適用環境により多様に変形して実施することができる。また、このような変形と応用に関する差異は、添付の請求の範囲において規定する本発明の範囲に含まれるものと解釈されなければならない。
【符号の説明】
【０１３１】
１０１  端末
１０１１  スマートフォン
１０１２  タブレット型パソコン
１０１３  パソコン
１０１４  自動車
１０１５  ＡＩスピーカー
１１１  アドレス管理サーバ
１２１、１２２、１２３  電話アドレスマッピングサーバ
１３１、１３２、１３３  メール・ホームページ・ＳＮＳアカウントマッピングサーバ
１４１  アドレスマッチングサーバ
１５１、１５２、１５３  サービスサーバ
２０１  端末ハウジング
２０２  端末表示部
２０３  端末音声出力部
２０４  端末音声入力部
２０５  端末第一通信モジュール
２０６  端末第二通信モジュール
２０７  端末制御部
３００  従来の端末
５００  従来のＥメール画面
５１０  本発明のＥメール画面
【図１】
0006751474.tif 000002
【図２】
0006751474.tif 000003
【図３】
0006751474.tif 000004
【図４】
0006751474.tif 000005
【図５】
0006751474.tif 000006
【図６】
0006751474.tif 000007
【図７】
0006751474.tif 000008
【図８】
0006751474.tif 000009
【図９】
0006751474.tif 000010
【図１０】
0006751474.tif 000011
【図１１】
0006751474.tif 000012
【図１２】
0006751474.tif 000013
【図１３】
0006751474.tif 000014
【図１４】
0006751474.tif 000015
【図１５】
0006751474.tif 000016